(57)【要約】【課題】ワイヤレスで好適に映像信号を伝送可能なワイヤレス書画システムおよびこれに用いられる書画装置、映像表示装置を提供する。【解決手段】ワイヤレス書画システムは、書画装置と映像表示装置を備える。前記書画装置は、被写体を撮影し、前記被写体の映像信号を出力する書画入力手段と、前記書画入力手段から出力された映像信号を送信する第１の無線通信手段とを備える。そして、前記映像表示装置は、前記書画装置から送信された映像信号を受信する第２の無線通信手段と、前記第２の無線通信手段により受信された映像信号を出力する出力手段と、を備える。【選択図】  図１
2011234146.tif 000002
【特許請求の範囲】
【請求項１】
書画装置と映像表示装置を備えたワイヤレス書画システムであって、
前記書画装置は、被写体を撮影し、前記被写体の映像信号を出力する書画入力手段と、前記書画入力手段から出力された映像信号を送信する第１の無線通信手段と、を備え、
前記映像表示装置は、前記書画装置から送信された映像信号を受信する第２の無線通信手段と、前記第２の無線通信手段により受信された映像信号を出力する出力手段と、を備えていることを特徴とするワイヤレス書画システム。
【請求項２】
前記第１の無線通信手段および第２の無線通信手段は、ミリ波無線通信により通信を行う無線通信手段であることを特徴とする請求項１に記載のワイヤレス書画システム。
【請求項３】
前記第１の無線通信手段は、前記書画入力手段の上部に配置されていることを特徴とする請求項１または２に記載のワイヤレス書画システム。
【請求項４】
前記書画装置は、前記被写体を置く配置台と、前記配置台に垂直方向に設けれた第１のアームと、前記第１のアームに接続された第２のアームと、を有し、
前記書画入力手段は前記第２のアームの一方に回転可能に搭載されており、前記第１の無線通信手段は前記第１のアームの上部に配置されていることを特徴とする請求項１または２に記載のワイヤレス書画システム。
【請求項５】
前記映像表示装置は、前記第２の無線通信手段により受信した映像信号の信号強度または信号品質を測定する測定手段を備え、
前記測定手段により測定した信号強度または信号品質を示す情報を前記出力手段により出力あるいは前記第２の無線通信手段により前記書画装置に送信することを特徴とする請求項１ないし４のいずれかに記載のワイヤレス書画システム。
【請求項６】
被写体を置く配置台と、
前記配置台に置かれた被写体を撮影し、前記被写体の映像信号を出力する書画入力手段と、
前記書画入力手段から出力された映像信号をミリ波無線通信により送信する無線通信手段と、
を備えていることを特徴とする書画装置。
【請求項７】
前記無線通信手段は、前記書画入力手段の上部に配置されていることを特徴とする請求項６に記載の書画装置。
【請求項８】
前記書画装置は、前記配置台に垂直方向に設けれた第１のアームと、前記第１のアームに接続された第２のアームと、を有し、
前記書画入力手段は前記第２のアームの一方に回転可能に搭載されており、前記第１の無線通信手段は前記第１のアームの上部に配置されていることを特徴とする請求項６に記載の書画装置。
【請求項９】
撮影した被写体の映像信号を送信する書画装置と通信可能な映像表示装置であって、
前記書画装置から送信された映像信号をミリ波無線通信により受信する無線通信手段と、
前記無線通信手段により受信された映像信号を出力する出力手段と、
を備えていることを特徴とする映像表示装置。
【請求項１０】
前記映像表示装置は、前記無線通信手段により受信した映像信号の信号強度または信号品質を測定する測定手段を備え、
前記測定手段により測定した信号強度または信号品質を示す情報を前記出力手段により出力あるいは前記無線通信手段により前記書画装置に送信することを特徴とする請求項９に記載の映像表示装置。
【発明の詳細な説明】
【技術分野】
【０００１】
本発明は、撮影手段により撮影した被写体の映像信号をワイヤレスで伝送可能なワイヤレス書画システム、およびこれに用いられる書画装置、映像表示装置に関する。
【背景技術】
【０００２】
特許文献１には、被写体の有無又は被写体の動きの有無を検出する被写体検出手段と、検出された結果に応じた制御命令を映像表示装置に送信する送信手段と、被写体の大きさに対応して撮像範囲を切り替える撮像範囲切替手段とを備え、被写体の有無又は被写体の動きの有無が検出されたときには撮像範囲を固定し、様々な大きさの原稿に対応して撮像範囲を切り替え、適正な変倍調整を行う書画カメラが開示されている。
【先行技術文献】
【特許文献】
【０００３】
【特許文献１】特開２００２−２８１３４９号公報
【発明の概要】
【発明が解決しようとする課題】
【０００４】
特許文献１の図１に記載のように、書画装置から映像表示装置に被写体の映像信号をケーブルなどの有線により伝送する場合、ケーブルの長さなどにより書画装置と映像表示装置の設置場所が制限されるため、ワイヤレスで映像信号を送信可能な書画装置が求められている。
【０００５】
しかし、ワイヤレスで映像信号を送信する場合、カメラ出力の高精細(Ｈｉｇｈ-Ｄｅｆｉｎｉｔｉｏｎ)化が進むに従って書画装置の撮像手段により取得される映像信号のデータサイズが大きくなっているため、データを圧縮しないままでは、例えばＩＥＥＥ８０２．１１ｎの規格に準拠した無線通信方式を用いたとしても送信に時間がかかり、書画装置で書類等を撮影してから、その映像を映像表示装置で表示するまでに時間差が生じてしまう可能性がある。一方、データを圧縮して送信する場合、書画装置側での圧縮処理と映像表示装置側での伸張処理に時間を要し、同様に時間差が生じてしまう可能性がある。このような遅延が発生した場合、プレゼンテーションなどを行う場合に使い勝手が悪いという問題がある。
【０００６】
そこで、本発明は、ワイヤレスで好適に映像信号を伝送可能なワイヤレス書画システムおよびこれに用いられる書画装置、映像表示装置を提供することを目的とする。
【課題を解決するための手段】
【０００７】
ワイヤレス書画システムは、書画装置と映像表示装置を備える。前記書画装置は、被写体を撮影し、前記被写体の映像信号を出力する書画入力手段と、前記書画入力手段から出力された映像信号を送信する第１の無線通信手段とを備える。そして、前記映像表示装置は、前記書画装置から送信された映像信号を受信する第２の無線通信手段と、前記第２の無線通信手段により受信された映像信号を出力する出力手段と、を備える。
【発明の効果】
【０００８】
本発明によれば、ワイヤレスで好適に映像信号を伝送可能なワイヤレス書画システムおよびこれに用いられる書画装置、映像表示装置を提供することができる。
【図面の簡単な説明】
【０００９】
【図１】ワイヤレス書画システムの一例を示す図である。
【図２】ワイヤレス書画システムの一例を示す図である。
【図３】ワイヤレス書画システムの一例を示す図である。
【図４】ワイヤレス書画システムの一例を示す図である。
【図５】ミリ波通信手段の構成例を示す図である。
【図６】ミリ波通信手段の構成例を示す図である。
【図７】ワイヤレス書画システムの一例を示す図である。
【図８】アンテナ付ミリ波高周波デバイスの一例を示す図である。
【図９】液晶プロジェクタの一例を示す図である
【図１０】液晶プロジェクタの一例を示す図である。
【発明を実施するための形態】
【００１０】
図１は、書画装置と映像表示装置を有するワイヤレス書画システムの一例を示す図である。本例では、圧縮・伸張処理による遅延発生を防止するために、高精細映像を非圧縮で伝送可能なミリ波無線通信を用いて、書画装置から映像表示装置に映像信号を送信する。
【００１１】
書画装置１００は、ＣＣＤカメラ等により台の上に配置された被写体を撮影し、被写体の映像信号を出力する書画入力手段１０２を備える。書画入力手段１０２は、アーム１０１ｂを介してアーム１０１ａに取り付けられ、書画入力手段１０２の上部にミリ波通信手段１０３を配置している。書画入力手段１０２から出力された映像信号は、ミリ波通信手段１０３によりワイヤレスで液晶プロジェクタ１０５に送信される。
【００１２】
液晶プロジェクタ１０５は天井から天井吊り支柱１０７に取り付けられ、アンテナ付きミリ波高周波半導体デバイス１０８は投影レンズ１０６と同じ側、すなわち投影スクリーン１０４と対向する面に配置されている。書画装置１００から送信された映像信号は、図１の例では、主に前方の壁に反射する電波伝搬経路１５０ａや投影スクリーン１０４で反射する電波伝搬経路１５０ｂなどを介して、アンテナ付きミリ波高周波半導体デバイス１０８により受信され、受信した映像信号は投射レンズ１０６から投影スクリーン１０４に投影される。
【００１３】
ミリ波無線通信は、非圧縮で高精細映像を送信できるという利点がある一方、伝送経路上に障害物などがあったり、ビームフォーミングの領域を外れたりすると、安定した伝送を行うことができないという課題を有する。本例では、ミリ波通信手段１０３を、書画入力手段１０２の上部に配置することにより、例えばユーザが書類などの被写体を設置する場合などにも伝送経路を遮られ難く、また、書画装置１００の周りに他の物体がある場合でも少なくともアーム１０１ｂの長さ分の距離を離すことができるため、直進性の強いミリ波の電波伝搬を行うことができる可能性を高くすることができる。このようにミリ波通信手段１０３を配置することにより、例えば図２に示すように液晶プロジェクタ１０５を床に置かれた台１２０に配置するなど、他の場所に配置した場合であっても、前方の壁に反射する電波伝搬経路１５０cや前方の投影スクリーン１０４で反射する電波伝搬経路１５０dなどを介して、書画装置１００から液晶プロジェクタ１０５に安定した伝送を行うことができる。
【００１４】
なお、図１および図２の例では、ミリ波通信手段１０３を書画入力手段１０２の上部に配置しているが、これに限定するものではない。例えば、図３及び図４の例に示すように、書画入力手段１０２が取り付けられているアーム１０１ｂが回転するなど、書画入力手段１０２の傾きを変えることができるように構成する場合、書画入力手段１０２が下向きあるいは横向きなど、向きを変えて使用される場合に影響を受けることを防止するため、アーム１０１ａの上部にミリ波通信手段１０３を配置するようにしても良い。
【００１５】
また、図１及び図２の例では、図９に示すようにアンテナ付き高周波半導体デバイス１０８を投影レンズ１０５の配置面と同じ側に配置した液晶プロジェクタ１０５を用いている。そして、図３及び図４の例では、図１０に示すように、アンテナ付き高周波半導体デバイス１０８を、例えば液晶プロジェクタ１０５の上面など、投影レンズ１０５の配置面と垂直になっている面に配置した液晶プロジェクタ１０５を用いている。しかし、これらの組み合わせに限定するものではなく、図１及び図２に示す書画装置１００と図１０に示す液晶プロジェクタ１０５を組み合わせて用いても良いし、図３及び図４に示す書画装置１００と図９に示す液晶プロジェクタ１０５を組み合わせて用いても良い。図９に示す液晶プロジェクタ１０５は、主に前面の投影スクリーン側からの反射波を有効に用いて動作し、図１０に示す液晶プロジェクタ１０５は、主に天井あるいは床の反射波を有効に用いて動作するため、使用形態に応じて組み合わせを選択することが望ましい。なお、図９，１０において、１２０は足である。また、図示していないが、アンテナ付き高周波半導体デバイス１０８は剥き出しではなく、必要なカバーや取り付け穴などを用いて取り付けられても、同様な効果が得られることは言うまでもない。
【００１６】
図５は、ミリ波通信手段１０３の構成例を示す図である。ミリ波通信手段１０３には、内部にアンテナ付き高周波半導体デバイス４００がアンテナ面４１０が水平になるように配置されている。このように、アンテナ面４１０が水平になるように配置した場合、主に部屋の天井と床方向の反射波を用いてミリ波無線通信を行う場合に有効である。また、図６に示すように、アンテナ面４１０が垂直になるように配置しても良い。この場合、主に部屋の壁方向の反射を用いたミリ波無線通信に有効である。そのため、書画システムを設置する場所に応じて、使用するミリ波通信手段１０３を選択することが望ましい。
【００１７】
なお、図８（１）に示すように、アンテナ付き高周波半導体デバイス４００のアンテナ面４１０には、アンテナ素子４０１が複数並んだアレーアンテナが取り付けられている。また、図８（２）に示すように、アンテナ付き高周波半導体デバイス４００には、アンテナ素子４０１の他に、ビームフォーミング手段４０３と、ミリ波送受信手段が設けられている。ビームフォーミング手段４０３とミリ波送受信手段４０３は、例えば図８（１）のアンテナ面４１０に対して反対面に配置される。アンテナ４０１はビームフォーミング手段４０３によって、アンテナ素子４０１が複数並んだアレーアンテナが制御されて送信アンテナあるいは受信アンテナの指向性パターンが形成され、受信時はアンテナ４０１で受信したミリ波信号がミリ波送受信手段４０４へ導かれて受信処理される、また、送信はミリ波送受信手段４０４からの送信信号がアンテナ４０１に導かれて発射される。ビームフォーミング手段４０３は独立した機能ブロックで示したが、これに限らず、アンテナ面４１０に構成されたりミリ波送受信手段の中に構成されても良い。図示していないが液晶プロジェクタ１０５側のアンテナ付き高周波半導体デバイス１０８も図８（１）と図８（２）と同様の構造を持つ。なお、ミリ波送受信手段の情報送信速度は、書画装置１００のアンテナ付き高周波半導体デバイス４００と液晶プロジェクタ１０５のアンテナ付き高周波半導体デバイス１０８は同じ必要はなく、映像信号を送信する書画装置１００のアンテナ付き高周波半導体デバイス４００から液晶プロジェクタ１０５のアンテナ付き高周波半導体デバイス１０８方向への情報送信速度が高い構成をとることにより、電波資源の有効利用が図られる。
【００１８】
図５や図６に示すようにアンテナ面４１０の配置方向や、図８（１）に示すようにアンテナ素子４０１の方向によって、電波伝搬経路が異なる。そのため、図１等の例において、ミリ波通信手段１０３を例えば１０ａあるいは１０ｂ方向に回転可能にすることにより、書画装置１００と液晶プロジェクタ１０５を設置した後であっても、ミリ波の電波伝搬経路の最適化を図ることができる。
【００１９】
この場合、例えば図７に示すように、投影スクリーン１０４に受信信号の強度や品質を表示し、ユーザにミリ波通信手段１０３の向きを回転させたり、書画装置１００や液晶プロジェクタ１０５の配置を変更することを促すことができる。具体的には、液晶プロジェクタ１０５に、ミリ波無線通信の信号強度あるいはビット誤り率やパケット誤り率などの信号品質を測定する手段を設け、リモコン３００で無線信号レベルの表示ボタン３０１が押されると、受信した信号強度あるいは信号品質を例えばバーグラフ１１２で表示する。書画装置１００のユーザーは、バーグラフ１１２を見ながら、ミリ波通信手段１０３を回転させて、バーグラフ１１２が最大あるいは最良になるように調整することにより、効率よく調整することができる。また、ユーザによる手動調整に限らず、信号強度あるいは信号品質が最適になるように液晶プロジェクタ１０５からミリ波通信手段１０３の回転を指示する制御信号を送信し、自動的にミリ波通信手段１０３の位置調整を行うようにしても良い。
【００２０】
以上説明したように、本例によれば、ミリ波無線通信により非圧縮の映像信号を伝送するため、圧縮伸張処理に時間を要することなく、高精細の映像信号であっても、ワイヤレスであっても好適に伝送することができる。
【００２１】
なお、以上の説明では、映像表示装置として、書画装置から受信した映像信号を投射レンズから投影スクリーンに投影する液晶プロジェクタを例に説明を行ったが、これに限定するものではない。映像表示装置にディスプレイを備え、書画装置から受信した映像信号を表示するようにしても良い。また、映像表示装置とは別にディスプレイを設け、書画装置から受信した映像信号を有線あるいは無線によりディスプレイに送信するようにしても良い。また、ミリ波通信手段の設置場所は、図１や図３等の場所を限定するものではなく、例えば、アーム１０１ｂに搭載しても良い。
【符号の説明】
【００２２】
１００  書画装置
１０２  書画入力手段
１０３  ミリ波通信手段
１０４  投影スクリーン
１０５  液晶プロジェクタ
１０６  液晶プロジェクタの投射レンズ
１０８  アンテナ付きミリ波高周波半導体デバイス
【図１】
2011234146.tif 000003
【図２】
2011234146.tif 000004
【図３】
2011234146.tif 000005
【図４】
2011234146.tif 000006
【図５】
2011234146.tif 000007
【図６】
2011234146.tif 000008
【図７】
2011234146.tif 000009
【図８】
2011234146.tif 000010
【図９】
2011234146.tif 000011
【図１０】
2011234146.tif 000012